(57)【要約】【課題】スタンドの台座のみが分離されて梱包されている表示装置への台座取り付け作業を、表示装置を机上等の平面に寝かせなくとも箱内部で容易に行うことを可能とする梱包箱を提供する。【解決手段】梱包箱には、少なくとも、表示装置の上部に嵌められる第１の緩衝材と、前記表示装置の下部に嵌められる第２の緩衝材とを収納し、前記第２の緩衝材を、前記表示装置の下部から外された状態で、前記第１の緩衝材を上部に嵌めた状態の前記表示装置の画面フレーム部のみに接触して、前記表示装置を梱包箱内で水平面に対して傾斜倒立状態で保持することができる形状とする。【選択図】図８
2010247889.tif 000002
【特許請求の範囲】
【請求項１】
表示装置を梱包するための梱包箱であって、少なくとも、前記表示装置の上部に嵌められる第１の緩衝材と、前記表示装置の下部に嵌められる第２の緩衝材とが収納され、前記第２の緩衝材は、前記表示装置の下部から外された状態で、前記第１の緩衝材を上部に嵌めた状態の前記表示装置の画面フレーム部のみに接触して、前記表示装置を梱包箱内で水平面に対して傾斜倒立状態で保持することができる形状であること、を特徴とする表示装置用の梱包箱。
【発明の詳細な説明】
【技術分野】
【０００１】
本発明は、表示装置用の梱包箱に係り、特にスタンドの台座のみが分離されて梱包されている表示装置への台座取り付け作業を容易化する梱包箱に関する。
【背景技術】
【０００２】
近年、積載効率化による輸送コストや保管コストの削減、使用される梱包材の削減等の観点から、液晶モニターや液晶テレビ等のような表示装置の梱包箱は、小型化の傾向が高まっている。小型化を図るため、表示装置はいくつかの部品に分かれて梱包箱に収納されることが一般的である。例えば、画面部と、スタンド（支柱と台座とからなる）とに分離する場合、または、画面部にスタンドの支柱を一体化させ、台座のみを分離させる場合がある。
【０００３】
このような表示装置を使用する場合、ユーザは、まず、分離された各部品を結合させて表示装置を組み立てる必要があるが、組み立て作業を行う際は、画面部単体、あるいは、支柱が一体化された画面部の前面を下に向けた状態で机上等の平面に寝かせ、前者の場合はスタンド（支柱と台座とからなる）を画面部に、また、後者の場合は台座を支柱底面に、ビス等の取り付け部材を用いて横方向から取り付ける、ということが一般的である。例えば、図１２は、台座を支柱底面に取り付ける作業を表すものであるが、画面部１００の背面にある支柱１０１の底面に設けられた複数の取り付け用の孔１０２の位置と、台座１０３に設けられた複数の取り付け用の孔１０４の位置とを一致させた後、各孔にビス１０５を挿入して締め付ける、という手順で作業が行われる。しかしながら、表示装置が設置される環境において、必ずしも、画面部を寝かせることができる程度の十分な広さの平面のスペースが確保できるとは限らない。また、画面部を平面上にうつぶせの状態で寝かせる際に、画面部に傷や汚れをつける恐れもある。さらに、このときの支柱は真横を向いた状態であるので、作業者は、支柱の底面の状態を視認しにくく、当該底面を覗き込むような姿勢で取り付け作業を行う必要があり、必ずしも作業性が良いとは言えない。
【０００４】
上述のような問題を解決する技術が開示されている（特許文献１参照）。この特許文献１では、表示部本体とスタンドとが分離して梱包されている梱包ケースにおいて、表示部本体を梱包ケースの第１および第２の底パットに保持した状態で、第１および第２の天パットを下部パッキンケースの長手方向両端部下に配置した後、下部パッキンケースの底面および側面に開口を形成し、この開口から下側外部に開放されている表示部本体の支柱挿入孔にスタンドの支柱を挿入してビスで固定する、という技術が開示されている。
【０００５】
【特許文献１】特開２００８−１００７０２号公報
【発明の開示】
【発明が解決しようとする課題】
【０００６】
この特許文献１によれば、表示部本体を梱包ケースから取り出して机上等の平面に寝かせなくとも、スタンドを表示部本体に取り付けることが可能である。しかしながら、これは表示部本体とスタンドとが分離して梱包されている表示装置にのみ有効な技術であって、図１２に示すような、スタンドの台座のみが分離されて梱包されている表示装置には有効な技術ではない。
【０００７】
そこで、本発明は、スタンドの台座のみが分離されて梱包されている表示装置への台座取り付け作業を、表示装置を机上等の平面に寝かせなくとも箱内部で容易に行うことを可能とする梱包箱を提供することを目的とする。
【課題を解決するための手段】
【０００８】
本発明の表示装置用の梱包箱は、少なくとも、前記表示装置の上部に嵌められる第１の緩衝材と、前記表示装置の下部に嵌められる第２の緩衝材とが収納され、前記第２の緩衝材は、前記表示装置の下部から外された状態で、前記第１の緩衝材を上部に嵌めた状態の前記表示装置の画面フレーム部のみに接触して、前記表示装置を梱包箱内で水平面に対して傾斜倒立状態で保持することができる形状である、ことを特徴とする。
【０００９】
これにより、梱包箱内で傾斜倒立状態で保持される表示装置の底面の状態を容易に確認しながら、台座の取り付け作業を箱内部で行うことができる。
【００１０】
また、表示装置はその画面フレーム部のみによって第２の緩衝材によって保持され、画面部が第２の緩衝材に接触することはないので、画面部に傷や汚れがつくことを防ぐことができる。
【発明を実施するための最良の形態】
【００１１】
以下、本発明の一実施の形態を図面を参照しながら説明する。
【００１２】
本実施の形態は、液晶表示装置に本発明を適用したものであり、図１に示すように、上面１ａと下面１ｂと四周側面１ｃ〜１ｆとからなる直方体形状を呈する表示装置用の梱包箱１である。梱包箱１は、段ボール製のものであり、四周側面１ｃ〜１ｆの各上側にフラップＦ１〜Ｆ４が連接され、これらのフラップＦ１〜Ｆ４を折り畳むようにすると上面１ａが形成されることになる。このような段ボール製の梱包箱１は、電気製品や電子製品等の運搬に一般的に多用されるものであり、四周側面１ｃ〜１ｆの各上側のフラップＦ１〜Ｆ４を開放すると、上面１ａが全面的に開口する。なお、本実施の形態の梱包箱１の寸法は、縦幅４２．５ｃｍ、横幅５３．５ｃｍ、および高さ１５ｃｍである。
【００１３】
図２に示すように、表示装置Ｌは、前面側に２０インチの大きさの液晶パネル面（画面部）Ｌａとその上下左右側を取り囲んで形成される幅１．５ｃｍの画面フレームＬｂとを有し、その背面側にはスタンドＳが取り付けられている。スタンドＳは、表示装置Ｌの背面側に一体化して取り付けられている支柱Ｓ１と、梱包を解かれた後に支柱Ｓ１の底面に取り付けられる円盤状の台座Ｓ２とを有する。なお、以下の説明において、表示装置Ｌと称するときには、支柱Ｓ１も含まれるものとする。図１に示すように、表示装置Ｌは、梱包状態では、その液晶パネル面Ｌａを下向きにして寝かせるように収納されており、台座Ｓ２は、表示装置Ｌとは分離して収納されている。なお、本実施の形態の表示装置Ｌの寸法は、横幅４７．５ｃｍ、高さ３６ｃｍ、および、液晶パネル面Ｌａの最前面から支柱Ｓ１の最背面までの長さ９．５ｃｍである。
【００１４】
梱包箱１には、図１、図３に示すように、表示装置Ｌの上部に嵌められて当該部分を衝撃から保護する上側緩衝材Ｋ１と、表示装置Ｌの下部に嵌められて当該部分を衝撃から保護する下側緩衝材Ｋ２とが収納されている。上側緩衝材Ｋ１および下側緩衝材Ｋ２は、ポリスチレンフォーム（発泡スチロール）で形成されている。
【００１５】
表示装置Ｌの背面側を覆う上側緩衝材Ｋ１の後方側面２、すなわち、梱包箱１の上面１ａを開口したときに表示装置Ｌの上にある面の外壁には、凸部２ａで囲まれた扇形部２ｂが形成されており、また、表示装置Ｌの背面側を覆う下側緩衝材Ｋ２の後方側面５、すなわち、梱包箱１の上面１ａを開口したときに表示装置Ｌの上にある面の外壁には、上記扇形部２ｂと対向するように、凸部５ａで囲まれた半円部５ｂが形成されている。上側緩衝材Ｋ１および下側緩衝材Ｋ２が表示装置Ｌに嵌められて梱包箱１に収納されると、扇形部２ｂと半円部５ｂとは接近して、その上に円盤状の台座Ｓ２が収納（載置）される。なお、扇形部２ｂと半円部５ｂとが接近しても、台座Ｓ２の円盤形状と等しい円形状を構成するわけではなく、両者の間にはなおも空間が存在するが、扇形部２ｂおよび半円部５ｂのそれぞれに台座Ｓ２の一部が載置されることによって、台座Ｓ２は落下することなく保持される。
【００１６】
また、台座Ｓ２の収納場所以外にも、上側緩衝材Ｋ１の後方側面２の外壁および下側緩衝材Ｋ２の後方側面５の外壁には、表示装置Ｌ用の電源ケーブルＣ１、信号ケーブルＣ２および取扱説明書Ｕを収納するための場所が、各々の形状に合わせて設けられる。
【００１７】
図４は、上側緩衝材Ｋ１を、その上面４を下にして見た図である。上側緩衝材Ｋ１は、底面が開口であり、内部が空洞となっている。表示装置Ｌに接する上側緩衝材Ｋ１の内部は、表示装置Ｌの上部が嵌まるように形成されている。つまり、表示装置Ｌの背面側を覆う後方側面２の内壁と表示装置Ｌの上面を覆う上面４の内壁とに跨って形成される複数の背面側突出部２ｃと、後方側面２と対向する前方側面３、すなわち、表示装置Ｌの前面側を覆う面の内壁と上面４の内壁とに跨って形成される複数の前面側突出部３ａの間に、表示装置Ｌの上部が嵌まるようになっている。上面４の内壁からの前面側突出部３ａの高さは、表示装置Ｌの上側の画面フレームＬｂの幅（本実施の形態においては１．５ｃｍ）に等しく、液晶パネル面Ｌａに上側緩衝材Ｋ１が接触しないようになっている。また、本実施の形態では、上面４の内壁からの後方側面２の内壁の高さは、最も長い部分で１０ｃｍである。上側緩衝材Ｋ１の外壁の各面は、全部あるいは少なくとも一部が平面に形成されており、この平面部分が、表示装置Ｌに嵌められて梱包箱１に収納されたときに梱包箱１の内壁に接して、表示装置Ｌが梱包箱１内で移動するのを防ぐ。
【００１８】
図５は、下側緩衝材Ｋ２を上から見た図である。下側緩衝材Ｋ２は、上面が開口であり、内部が空洞となっており、中央には、表示装置Ｌに嵌められたときに支柱Ｓ１が挿入される孔８を、表示装置の背面側を覆う後方側面５と表示装置Ｌの下面を覆う底面７とに跨って有している。表示装置Ｌに接する下側緩衝材Ｋ２の内部は、表示装置Ｌが嵌まるように形成されている。つまり、後方側面５の内壁と底面７の内壁とに跨って形成される複数の背面側突出部５ｃと、後方側面５と対向する前方側面６、すなわち、表示装置Ｌの前面側を覆う面の内壁と底面７の内壁とに跨って形成される複数の前面側突出部６ａの間に、表示装置Ｌの下部が嵌まるようになっている。底面７の内壁からの前面側突出部６ａの高さは、表示装置Ｌの下側の画面フレームＬｂの幅（本実施の形態においては１．５ｃｍ）に等しく、液晶パネル面Ｌａに下側緩衝材Ｋ２が接触しないようになっている。また、本実施の形態では、底面７の内壁からの後方側面５の内壁の高さは、最も長い部分で１３ｃｍである。下側緩衝材Ｋ２の外壁の各面は、全部あるいは少なくとも一部が平面に形成されており、この平面部分が、表示装置Ｌに嵌められて梱包箱１に収納されたときに梱包箱１の内壁に接して、表示装置Ｌが梱包箱１内で移動するのを防ぐ。
【００１９】
下側緩衝材Ｋ２の表示装置Ｌの前面側を覆う前方側面６の両隅部には、縁部を切り欠いて外壁と内壁との間に形成された表示装置保持部６ｂが設けられる。この表示装置保持部６ｂは、後述する台座Ｓ２の取り付け方法のとおり、上側緩衝材Ｋ１が嵌められた状態の表示装置Ｌの上部を支点として、下側緩衝材Ｋ２が嵌められた状態の表示装置Ｌの下部側を９０度回転させて起こして、表示装置Ｌを梱包箱１内の一側面１ｆに近接する位置で倒立状態とした後、下側緩衝材Ｋ２を表示装置Ｌの下部から外して、開口部を上に向けた状態で、倒立状態の表示装置Ｌが近接する側面１ｆと対向する側面１ｄに接して載置させ、この状態の下側緩衝材Ｋ２に向けて、表示装置Ｌの下部側を降ろしたときに、液晶パネル面Ｌａの左右両側の画面フレームＬｂの一部のみに当接して、表示装置Ｌを傾斜倒立状態で保持する位置に形成される。なお、この表示装置保持部６ｂの位置は、このとき傾斜倒立状態で保持される表示装置Ｌの支柱Ｓ１の底面に台座Ｓ２を取り付ける際に、梱包箱１の四周側面１ｃ〜１ｆや下側緩衝材Ｋ２が障害とならない高さに支柱Ｓ１の底面が保持されることを考慮した位置でもある必要がある。
【００２０】
本実施の形態では、表示装置保持部６ｂは、下側緩衝材Ｋ２の前方側面６の縁部の両隅に、水平面に対して傾斜角度４０度の下辺幅１．７ｃｍの不等辺四角形状の傾斜面として形成され、また、下側緩衝材Ｋ２の後方側面５の外壁が梱包箱１の側面１ｄに接触して載置された状態で、梱包箱１の底面１ｂから１５ｃｍの位置に設けられている。なお、この表示装置保持部６ｂの位置、形状は、本実施の形態による梱包箱１の高さ（１５ｃｍ）や表示装置Ｌの画面フレームＬｂの幅（１．５ｃｍ）を考慮して設定されたものであり、梱包箱１や表示装置Ｌおよび下側緩衝材Ｋ２の寸法や表示装置Ｌの形状によって、表示装置保持部６ｂの位置、形状も様々なものになることは言うまでもない。すなわち、本実施の形態における表示装置保持部６ｂは、下側緩衝材Ｋ２の前方側面６の縁部両隅を切り欠くことで形成されているが、この代わりに前方側面６の一部を突出させて形成されてもよく、また、前方側面６の縁部ではなく、後方側面５の縁部に設けられてもよい。また、本実施の形態における表示装置保持部６ｂは４０度の傾斜面として形成されているが、この傾斜角度も様々に変更可能であることは言うまでもない。
【００２１】
次に、本実施の形態の表示装置用の梱包箱１を使用して、支柱Ｓ１に台座Ｓ２を取り付けて表示装置Ｌを組み立てる方法について説明する。
【００２２】
本実施の形態では、表示装置Ｌは、その液晶パネル面Ｌａを下向きにして寝かせるように収納されている。
【００２３】
まず、図６に示すとおり、梱包された状態の梱包箱１の上面１ａを拡開した後、上側緩衝材Ｋ１および下側緩衝材Ｋ２の外側に収納されている台座Ｓ２、電源ケーブル（ビニール袋に入れられている）Ｃ１、信号ケーブル（ビニール袋に入れられている）Ｃ２および取扱説明書Ｕを梱包箱から取り出す。
【００２４】
次に、図７に示すとおり、表示装置Ｌを梱包箱１の一側面側１ｆに倒立させる。すなわち、作業者は、下側緩衝材Ｋ２が嵌められている状態で、表示装置Ｌの下部両端を持ち、表示装置Ｌの上部を支点として９０度回動させるようにして起立させる。すると、上側緩衝材Ｋ１の外壁は平面に形成されているので、表示装置Ｌは、支柱Ｓ１の底面が最上端になった状態で、梱包箱１の一側面１ｆ側に倒立する。すなわち、このとき、上側緩衝材Ｋ１の後方側面２の外壁と梱包箱１の側面１ｆの内壁とが近接した状態にある。
【００２５】
次に、図８に示すとおり、下側緩衝材Ｋ２を表示装置Ｌから外して、上面開口部を上にした状態で、表示装置Ｌが倒立している梱包箱の側面１ｆ側と対向する梱包箱の側面１ｄの内壁に、下側緩衝材Ｋ２の後方側面５の外壁を接触させて載置させる。
【００２６】
そして、作業者が、表示装置Ｌの下部両端を持ち、表示装置Ｌの上部を支点として回動させるようにして降ろすと、図９、図１０に示すとおり、表示装置Ｌの液晶パネル面Ｌａの左右両側の画面フレームＬｂの一部が、下側緩衝材Ｋ２の表示装置保持部６ｂの傾斜面に当接して、表示装置Ｌは傾斜角度４０度の傾斜倒立状態で梱包箱１内で保持される。図１０は、図９の矢印Ａの方向から見た、表示装置保持部６ｂが表示装置Ｌの画面フレームＬｂに当接する様子を示す図であり、下側緩衝材Ｋ２を実線で、また、表示装置Ｌを破線で示している。図１０に示すとおり、表示装置保持部６ｂは表示装置Ｌの画面フレームＬｂのみに当接するので、液晶パネル面Ｌａに下側緩衝材Ｋ２が接触して傷や汚れがつくことはない。
【００２７】
なお、下側緩衝材Ｋ２は軽量であるので、それ単体で重量のある表示装置Ｌを傾斜倒立状態で保持しようとすると、ひっくり返って表示装置Ｌを落下させる可能性があるが、本実施の形態では、下側緩衝材Ｋ２は、後方側面５の外壁を梱包箱の側面１ｄの内壁に接触させて載置されており、保持する表示装置Ｌの重量は、下側緩衝材Ｋ２だけでなく、梱包箱１でも受けられ、支えられるので、表示装置Ｌは傾斜倒立状態でも安定して保持される。
【００２８】
この後、作業者は、先に取り出しておいた台座Ｓ２を支柱Ｓ１の底面に取り付ける。本実施の形態では、支柱Ｓ１側の係止爪と台座Ｓ２側の係止孔とを係止される方法で取り付けが行われる。表示装置保持部６ｂによって、支柱Ｓ１の底面は、梱包箱１の側面１ｄや下側緩衝材Ｋ２が取り付け作業の障害とならない程度の十分な高さに、かつ、傾斜角度４０度の上斜め方向に向いて保持されているので、作業者は、支柱Ｓ１の底面の状態を視認しやすく、台座Ｓ２を容易に取り付けることができる。
【００２９】
台座Ｓ２を取り付けた後、上側緩衝材Ｋ１を外しながら表示装置Ｌを梱包箱１から取り出し、机等の平面に置くと、表示装置の組み立て作業の全てが終了する。
【００３０】
なお、本実施の形態では、下側緩衝材Ｋ２は、上面開口部を上に向けた状態で、後方側面５の外壁を梱包箱の側面１ｄの内壁に接触して載置されたが、この載置状態に限られることはなく、例えば、上面開口部を下に向けた状態で側面１ｄの内壁に接触して載置されてもよい。このとき、多くの場合、表示装置保持部６ｂは下側緩衝材Ｋ２の底面７の外壁面上に形成される。
【図面の簡単な説明】
【００３１】
【図１】本発明の梱包箱を示す斜視図である。
【図２】本発明の梱包箱に収納される表示装置を示す斜視図である。
【図３】上側緩衝材および下側緩衝材が表示装置に嵌められた状態を示す斜視図である。
【図４】上側緩衝材を示す斜視図である。
【図５】下側緩衝材を示す斜視図である。
【図６】梱包箱内部で、台座を支柱に取り付ける作業の順序を説明する図であり、梱包箱を開いて付属品を取り出す状態の斜視図である。
【図７】梱包箱内部で、台座を支柱に取り付ける作業の順序を説明する図であり、表示装置を梱包箱内で倒立させた状態の斜視図である。
【図８】梱包箱内部で、台座を支柱に取り付ける作業の順序を説明する図であり、下側緩衝材を表示装置から外して、表示装置が倒立している側とは対向する側へ載置させた状態の斜視図である。
【図９】梱包箱内部で、台座を支柱に取り付ける作業の順序を説明する図であり、倒立していた表示装置を下側緩衝材に向けて倒した状態の斜視図である。
【図１０】図９の矢印Ａの方向から見た、表示装置保持部が表示装置の画面フレームに当接する様子を示す図である。
【図１１】梱包箱内部で、台座を支柱に取り付ける作業の順序を説明する図であり、斜め上方向に突出した支柱の底面に台座を取り付ける状態の斜視図である。
【図１２】従来の台座の支柱への取り付け方法を示す斜視図である。
【符号の説明】
【００３２】
１    表示装置用の梱包箱、
１ａ  上面、１ｂ  下面、１ｃ〜１ｆ  四周側面、
Ｌ  表示装置、Ｌａ  液晶パネル面（画面）、Ｌｂ  画面フレーム、
Ｓ  スタンド、
Ｓ１  支柱、
Ｓ２  台座、
Ｋ１  上側緩衝材、
Ｋ２  下側緩衝材、
６ｂ  表示装置保持部
【図１】
2010247889.tif 000003
【図２】
2010247889.tif 000004
【図３】
2010247889.tif 000005
【図４】
2010247889.tif 000006
【図５】
2010247889.tif 000007
【図６】
2010247889.tif 000008
【図７】
2010247889.tif 000009
【図８】
2010247889.tif 000010
【図９】
2010247889.tif 000011
【図１０】
2010247889.tif 000012
【図１１】
2010247889.tif 000013
【図１２】
2010247889.tif 000014